(57)【要約】【課題】シャワーハンガーの位置を高さ方向のみならず水平方向へも調節することができて使用者の自由度が高いシャワーハンガー装置を提供する。【解決手段】浴室壁Ｗに設けられる基端部に枢支部２を介して、枢支部（第２の枢支部４）を介して長手方向の端部同士が連結される複数のアーム部（第１のアーム部３、第２のアーム部５）の連結されていない一端部を接続すると共に、複数のアーム部の連結されていない他端部を枢支部（第３の枢支部６）を介してシャワーハンガー７に接続した。【選択図】図１
2009155842.tif 000002
【特許請求の範囲】
【請求項１】
浴室壁に設けられる基端部に枢支部を介して、枢支部を介して長手方向の端部同士が連結される複数のアーム部の連結されていない一端部を接続すると共に、複数のアーム部の連結されていない他端部を枢支部を介してシャワーハンガーに接続して成ることを特徴とするシャワーハンガー装置。
【請求項２】
浴室壁に設けられる基端部と、前記基端部に第１の枢支部を介して一端部が接続されてその他端部側が基端部に対して回動する第１のアーム部と、前記第１のアーム部の他端部に第２の枢支部を介して一端部が接続されてその他端部側が第１のアーム部に対して回動する第２のアーム部と、前記第２のアーム部の他端部に第３の枢支部を介して接続されるシャワーハンガーと、を備えて成ることを特徴とする請求項１記載のシャワーハンガー装置。
【請求項３】
基端部を浴室壁に対して上下動自在で任意の高さに配置可能として成ることを特徴とする請求項１又は２記載のシャワーハンガー装置。
【請求項４】
第１のアーム部又は／及び第２のアーム部を、長手方向の一端部と他端部とが相対的に長手方向を回転軸として回転可能となることを特徴とする請求項１乃至３のいずれか一項に記載のシャワーハンガー装置。
【発明の詳細な説明】
【技術分野】
【０００１】
本発明は、浴室壁等に取り付けられてシャワーヘッドを保持するシャワーハンガー装置に関するものである。
【背景技術】
【０００２】
従来より、浴室壁等に取り付けられてシャワーヘッドを保持するシャワーハンガーが知られている（例えば特許文献１参照）。
【０００３】
特許文献１に示される従来例にあっては、浴室壁に取り付けられ上下に長いスライドバーと、スライドバーを上下するシャワーハンガーとを備えており、シャワーハンガーをスライドバーに沿って上下にスライドさせて任意の高さで保持することで、シャワーヘッドを保持するシャワーハンガーの高さを所望の高さに調節することができるものである。
【特許文献１】特開平５−１６３７５２号公報
【発明の開示】
【発明が解決しようとする課題】
【０００４】
しかしながら、上記従来例にあっては、シャワーハンガーの高さを調節することができるものの、横方向（水平方向）の調節はできず、使用者の自由度が低く、使用者がシャワーを浴びる時の姿勢が制限されてしまうものであった。
【０００５】
本発明は上記従来の問題点に鑑みて発明したものであって、その目的とするところは、シャワーハンガーの位置を高さ方向のみならず水平方向へも調節することができて使用者の自由度が高いシャワーハンガー装置を提供することを課題とするものである。
【課題を解決するための手段】
【０００６】
上記課題を解決するために請求項１に係るシャワーハンガー装置にあっては、浴室壁Ｗに設けられる基端部に枢支部２を介して、枢支部を介して長手方向の端部同士が連結される複数のアーム部の連結されていない一端部を接続すると共に、複数のアーム部の連結されていない他端部を枢支部を介してシャワーハンガー７に接続して成ることを特徴とするものである。
【０００７】
このような構成とすることで、シャワーハンガー７の位置を高さ方向のみならず水平方向へも調節することができて、使用者の自由度が高くなるものである。
【０００８】
また、請求項２に係る発明は、請求項１に係る発明において、浴室壁Ｗに設けられる基端部１と、前記基端部１に第１の枢支部２を介して一端部が接続されてその他端部側が基端部１に対して回動する第１のアーム部３と、前記第１のアーム部３の他端部に第２の枢支部４を介して一端部が接続されてその他端部側が第１のアーム部３に対して回動する第２のアーム部５と、前記第２のアーム部５の他端部に第３の枢支部６を介して接続されるシャワーハンガー７と、を備えて成ることを特徴とするものである。
【０００９】
このような構成とすることで、二つのアーム部３、４でシャワーハンガー７の位置を高さ方向のみならず水平方向へも調節することができて、簡単な構成で使用者の自由度が高くなるものである。
【００１０】
また、請求項３に係る発明は、請求項１又は２に係る発明において、基端部１を浴室壁Ｗに対して上下動自在で任意の高さに配置可能として成ることを特徴とするものである。
【００１１】
このような構成とすることで、高さ方向の自由度が更に高まるものである。
【００１２】
また、請求項４に係る発明は、請求項１乃至３のいずれか一項に係る発明において、第１のアーム部３又は／及び第２のアーム部５を、長手方向の一端部と他端部とが相対的に長手方向を回転軸として回転可能となることを特徴とするものである。
【００１３】
このような構成とすることで、シャワーハンガー７の向きの自由度が高まって調節が可能となる。
【発明の効果】
【００１４】
本発明にあっては、浴室壁に設けた基端部から水平方向の任意の位置（第１のアームと第２のアームの長さを合わせた距離内）に配置することができ、使用者がシャワーを浴びる際、シャワーハンガーの位置の自由度が高まってシャワーを浴びる姿勢の制約が少なくなる。
【発明を実施するための最良の形態】
【００１５】
以下、本発明の一実施形態について添付図面に基づいて説明する。
【００１６】
本発明のシャワーハンガー装置は、浴室壁Ｗに設けられる基端部１と、基端部１に枢支部２を介して、別の枢支部を介して長手方向の端部同士が連結される複数のアーム部の連結されていない一端部を接続すると共に、複数のアーム部の連結されていない他端部を枢支部を介してシャワーハンガー７に接続してなるもので、本実施形態では、前記基端部１に対して回動する第１のアーム部３と、前記第１のアーム部３に対して回動する第２のアーム部５と、前記第２のアーム部５に対して回動するシャワーハンガー７と、で主体が構成される。以下、浴室壁Ｗに対して固定的に基端部１を配置する実施形態について図１乃至図７に基づいて説明し、浴室壁Ｗに対して上下動自在で任意の高さに基端部１を配置する実施形態について図８乃至図１２に基づいて説明する。
【００１７】
基端部１は、浴室壁Ｗに対して固定されるもので、本実施形態では図１乃至図４に示すように、浴室壁Ｗに取り付けられる取付部１１の左右両端部から浴室内方に向けて枢支片部１２を突出する平面視略コ字状をしたものである。この枢支片部１２間に、第１のアーム部３の長手方向の一端部が挿入されると共に、第１のアーム部３が基端部１に対して回動自在に枢支する第１の枢支部２が設けられる。第１のアーム部３の一端部には、左右両側面間にわたって貫通する軸受部２２を形成し、この第１のアーム部３の一端部が挿入される基端部１の枢支片部１２には、それぞれ内側面に前記軸受部２２に挿入される軸部２１を設けるものである。本実施形態では、基端部１の一方の枢支片部１２の内側面にロックナット２３を固定し、他方の枢支片部１２には軸部２１を挿通する挿通孔２４を形成してある。そして、軸受部２２が貫通形成された第１のアーム部３の一端部を基端部１の枢支片部１２間に挿入し、基端部１の他方の枢支片部１２の挿通孔２４の外側から先端に雄ねじ２１ａを有する軸部２１を挿入して、第１のアーム部３の軸受部２２に挿通し、軸部２１の先端の雄ねじ２１ａをロックナット２３に螺合させて締結する。軸部２１の雄ねじ２１ａと反対側の端部には、ドライバー等の工具の挿入溝２１ｂが形成してあり、前記工具によって軸部２１の取り付け作業が行われる。この軸部２１及び軸受部２２からなる第１の枢支部２により、第１のアーム部３は基端部１に対して軸部２１を中心に回動可能となる。
【００１８】
また第１の枢支部２には、角度保持手段２５が設けられる。角度保持手段２５は、第１のアーム部３の基端部１に対する回動角度を任意に保持するものである。本実施形態では、図５乃至図７に示すように、第１のアーム部３の左右の一側面（すなわち第１のアームの左右両側の枢支片部１２に面する側面のうちの一側面）に、回転ロックボール２８が収容される縦溝２６を形成してあり、この縦溝２６内に溝底との間に付勢バネ２７を介在させて回転ロックボール２８を収容し、前記一側面から突出する方向に回転ロックボール２８を付勢させる。なお本実施形態では、縦溝２６として第１のアーム部３の左右に貫通する貫通孔を形成し、第１のアーム部３の他側面側の端部に閉塞栓２６ａを固定して縦溝２６を形成してある。
【００１９】
これに対し基端部１には、前記第１のアーム部３の回転ロックボール２８が突出する一側面に対応する方の枢支片部１２の内側面に、前記回転ロックボール２８の先端が嵌まり込んで位置固定を行う位置固定凹部２９が形成されている。位置固定凹部２９は、第１のアーム部３が基端部１に対して軸部２１を中心に回動する時に回転ロックボール２８が描く軌跡上に複数設けられるもので、中心角１０〜３０°程度の間隔で適宜好適に設けられる。本実施形態では、円弧状板２９ａに円弧状に複数の位置固定凹部２９となる円孔２９ｂを形成し、この円弧状板２９ａを対応する枢支片部１２の内側面に取り付けることで位置固定凹部２９を形成している。
【００２０】
このような角度保持手段２５により、第１のアーム部３を基端部１に対して軸部２１を中心に所望の角度となるように回動して、この角度を保持することが可能となる。
【００２１】
上記のような第１のアーム部３の他端部に、第２のアーム部５の長手方向の一端部が第２の枢支部４を介して接続される。第２の枢支部４も第１の枢支部２と同様の軸部２１及び軸受部２２からなる。すなわち第１の枢支部２と同様に、第１のアーム部３の他端部と第２のアーム部５の一端部のいずれか一方において、左右両端部から枢支片部１２を突出すると共に、第１のアーム部３の他端部と第２のアーム部５の一端部のいずれか他方において、左右両側面間にわたって貫通する軸受部２２を形成する。そして、一方の枢支片部１２の内側面にロックナット２３を固定し、他方の枢支片部１２に軸部２１を挿通する挿通孔２４を形成し、軸受部２２が貫通形成された端部を枢支片部１２間に挿入し、他方の枢支片部１２の挿通孔２４の外側から先端に雄ねじ２１ａを有する軸部２１を挿入し、先端の雄ねじ２１ａをロックナット２３に螺合させて締結する。
【００２２】
また第２の枢支部４にも、第１の枢支部２に設けられた角度保持手段２５と同じ角度保持手段２５が設けられるもので、本実施形態での構成は上述した通りである。。
【００２３】
上記のような軸部２１及び軸受部２２からなる第２の枢支部４により、第２のアーム部５は第１のアーム部３に対して軸部２１を中心に回動可能となると共に、第２の枢支部４に設けた角度保持手段２５により、第２のアーム部５を第１のアーム部３に対して軸部２１を中心に所望の角度となるように回動した際、この角度を保持することが可能となる。
【００２４】
上記のような第２のアーム部５の他端部に、シャワーハンガー７が第３の枢支部６を介して接続される。第３の枢支部６も第１及び第２の枢支部４と同様の軸部２１及び軸受部２２からなるもので、本実施形態での構成は上述した通りである。また第３の枢支部６にも、第１及び第２の枢支部４に設けられた角度保持手段２５と同じ角度保持手段２５が設けられるもので、本実施形態での構成は上述した通りである。
【００２５】
上記のような軸部２１及び軸受部２２からなる第３の枢支部６により、シャワーハンガー７は第２のアーム部５に対して軸部２１を中心に回動可能となると共に、第３の枢支部６に設けた角度保持手段２５により、シャワーハンガー７を第２のアーム部５に対して軸部２１を中心に所望の角度となるように回動した際、この角度を保持することが可能となる。
【００２６】
シャワーハンガー７は、第３の枢支部６が位置する側と反対側にシャワーヘッドＨを保持する保持部７１が形成されている。保持部７１は、上下に貫通する貫通口７０を有すると共に、貫通口７０の周方向の一部に少なくともシャワーホースＳＨが挿通可能な挿通口７２を貫通形成してある。貫通口７０はシャワーヘッドＨよりも小さく形成してあり、挿通口７２よりシャワーホースＳＨを貫通口７０内に挿入し、貫通口７０の内面や上端縁にてシャワーヘッドＨを支持することでシャワーヘッドＨを保持するものである。
【００２７】
上記のシャワーハンガー７装置にあっては、図１及び図２に示すように、シャワーハンガー７を、浴室壁Ｗに設けた基端部１から水平方向の任意の位置（勿論、第１のアームと第２のアームの長さを合わせた距離内）に配置することができ、また、高さ方向（上下方向）においても任意の位置（勿論、第１のアームと第２のアームの長さを合わせた距離内）に配置することができ、結局、基端部１から第１のアームと第２のアームの長さを合わせた距離内の任意の位置に配置可能となって、使用者がシャワーを浴びる際、シャワーハンガー７の位置の自由度が高まってシャワーを浴びる姿勢の制約が少なくなるものである。
【００２８】
また、従来例の場合には、シャワーハンガー７をスライドバーＢに対して上下にスライドさせて高さの調節を行っていたが、この時、シャワーハンガー７のスライドバーＢへの固定を解除すると共に上下のスライドをさせる必要があるが、本発明では、シャワーハンガー７を所望の位置に直接移動させるだけでよく、シャワーハンガー７を所望の位置に配置するための動作も容易となる。
【００２９】
また本実施形態では、第１のアーム部３又は／及び第２のアーム部５は、それぞれ長手方向の一端部と他端部とが、相対的に長手方向を回転軸として回転可能となっている。すなわち、第１のアーム部３と第２のアーム部５とは、一端部側部材３１、５１と他端部側部材３２、５２とが別部材となっており（更に正確には本実施形態では、一端部側部材３１、５１と中央部材３３、５３と他端部側部材３２、５２とからなる）、一端部側部材３１、５１と他端部側部材３２、５２とが互いに長手方向を回転軸として回転可能となっている。一端部側部材３１、５１と他端部側部材３２、５２と（中央部材３３、５３と）とは、筒状をした端部をむり嵌め状に嵌合したりすることで、任意の角度で保持可能とすることができる。
【００３０】
本発明にあっては、基端部１に枢支部２を介して、別の枢支部（本実施形態の第２の枢支部４）を介して長手方向の端部同士が連結される複数のアーム部（本実施形態の第１のアーム部３、第２のアーム部５）の連結されていない一端部を接続すると共に、複数のアーム部の連結されていない他端部を枢支部（本実施形態の第３の枢支部６）を介してシャワーハンガー７に接続することで、シャワーハンガー７の向きの自由度が高まって、シャワーハンガー７の位置のみならずシャワーハンガー７の向きまで調節可能となり、例えば、シャワーヘッドＨからの吐出方向を浴槽内に向けさせた状態でシャワーハンガー７に保持させたりすることができ、湯水の節約に貢献することができるものであり、本実施形態のように二つのアーム部３、４で主体を構成することで、簡単な構成で使用者の自由度が高くなるものである。
【００３１】
次に、他の実施形態について図８乃至図１２に基づいて説明する。なお、大部分においては図１乃至図７に示す上実施形態と同様であるため、同符号を付して説明を省略し、主に異なる部分について説明する。
【００３２】
本実施形態では、基端部１を浴室壁Ｗに対して上下動自在で任意の高さに配置可能とする手段を備えたものである。前記手段としては、従来例と同様に、浴室壁Ｗから若干距離をあけてスライドバーＢを上下を長手方向として配置し、スライドバーＢに沿って上下にスライド自在となるように、基端部１に上下に貫通するように形成した貫通口（特に図示せず）にスライドバーＢを挿入させる。基端部１は、スライドバーＢに対して上下にスライドして所望の高さに位置させ、例えば、スライドバーＢに弾圧したりする位置固定手段（特に図示せず）により位置固定がなされる。その他の構成、すなわち、第１の枢支部２、第１のアーム部３、第２の枢支部４、第２のアーム部５、第３の枢支部６、シャワーハンガー７については上実施形態と同様である。
【００３３】
本実施形態では、上実施形態よりも更に高さ方向の自由度が高まるものである。すなわち、上実施形態では、高さ方向（上下方向）は最大で、第１のアームと第２のアームの長さを合わせた距離内の任意の位置に配置可能であったが、本実施形態では、前記距離に加えて、シャワーハンガー７のスライドバーＢに対する上下のストローク分が増すものである。
【００３４】
このような構成により、より一層使用者の自由度が高まって、使い勝手が良くなるものである。
【図面の簡単な説明】
【００３５】
【図１】本発明の一実施形態のシャワーハンガー装置を示し、（ａ）はシャワーハンガーを基端部から水平方向に離した状態の斜視図であり、（ｂ）は（ａ）の側面図である。
【図２】同上のシャワーハンガー装置を浴室壁に取り付けた状態を斜め上方から見た斜視図である。
【図３】同上のシャワーハンガーを基端部から上方に伸ばして収納する状態を斜め上方から見た斜視図である。
【図４】同上のシャワーハンガー装置を浴室壁に取り付けた状態を斜め上方から見た斜視図である。
【図５】基端部、第１の枢支部、第１のアーム部の拡大斜視図である。
【図６】同上の一部を分解して透視した斜視図である。
【図７】同上の要部の一部を透視した斜視図である。
【図８】本発明の他の実施形態のシャワーハンガー装置を示し、（ａ）はシャワーハンガーを基端部から水平方向に離した状態の斜視図であり、（ｂ）は（ａ）の側面図であり、（ｃ）は（ａ）の正面図である。
【図９】同上のシャワーハンガー装置を浴室壁に取り付けた状態を斜め上方から見た斜視図である。
【図１０】同上の実施形態においてシャワーハンガーを基端部から水平方向に離した状態の他例の斜視図である。
【図１１】同上のシャワーハンガーを基端部から上方に伸ばして収納する状態を斜め上方から見た斜視図である。
【図１２】同上のシャワーハンガー装置を浴室壁に取り付けた状態を斜め上方から見た斜視図である。
【符号の説明】
【００３６】
Ｗ  浴室壁
１  基端部
２  第１の枢支部
３  第１のアーム部
４  第２の枢支部
５  第２のアーム部
６  第３の枢支部
７  シャワーハンガー
【図１】
2009155842.tif 000003
【図２】
2009155842.tif 000004
【図３】
2009155842.tif 000005
【図４】
2009155842.tif 000006
【図５】
2009155842.tif 000007
【図６】
2009155842.tif 000008
【図７】
2009155842.tif 000009
【図８】
2009155842.tif 000010
【図９】
2009155842.tif 000011
【図１０】
2009155842.tif 000012
【図１１】
2009155842.tif 000013
【図１２】
2009155842.tif 000014